(57)【要約】【課題】文字入力のために打鍵数を低減可能とする。【解決手段】文字の入力を行うキー入力装置に、複数のキーを表示し、表示されたキーの指のタッチ後に、指の移動するＸ方向及びＹ方向の移動量を検出するタッチパネル102と、タッチパネルのキー、タッチパネル上で指のＸ方向及びＹ方向の移動量をパラメータとして、ひらがなの各行の文字、ひらがなの各行の文字の濁音文字、半濁音文字、小文字及び促音文字を含む属性文字をテーブルにして保存する指移動量／入力文字対応情報保存部105Aと、指がタッチしたキーの位置、指がキーにタッチした後指が移動したＸ方向の移動量及びＹ方向の移動量が検知された結果に基づき指移動量／入力文字対応情報保存部から対応する文字を読み出し読み出した文字を表示部に表示し、タッチパネル部から指を離すことで表示部に表示された文字を入力文字と確定する文字入力処理部107Aとを備える。【選択図】図１
2009199323.tif 000002
【特許請求の範囲】
【請求項１】
文字の入力を行うキー入力装置において、
複数のキーを表示し、表示されたキーの指のタッチ後に、指の移動するＸ方向及びＹ方向の移動量を検出するタッチパネルと、
前記タッチパネルのキー、前記タッチパネル上で指のＸ方向及びＹ方向の移動量をパラメータとして、ひらがなの各行の文字、さらに、ひらがなの各行の文字の濁音文字、半濁音文字、小文字及び促音文字を含む属性文字をテーブルにして保存する指移動量／入力文字対応情報保存部と、
前記タッチパネルで指がタッチしたキーの位置、指がキーにタッチした後指が移動したＸ方向の移動量及びＹ方向の移動量が検知された結果に基づき前記指移動量／入力文字対応情報保存部から対応する文字を読み出し、読み出した文字を表示部に表示し、前記タッチパネル部から指を離すことで前記表示部に表示された文字を入力文字と確定する文字入力処理部とを備えることを特徴とするキー入力装置。
【請求項２】
前記属性文字に複合音の文字を含めることを特徴とする、請求項１に記載のキー入力装置。
【請求項３】
前記ひらがなの文字に代わり、カタカナの文字を用いることを特徴とする、請求項１に記載の文字入力装置。
【請求項４】
前記ひらがなの文字に代わり、アルファベットの文字を用いることを特徴とする、請求項１に記載の文字入力装置。
【請求項５】
前記文字入力処理部は、前記タッチパネル上で指のキータッチ後にＸ方向又はＹ方向に指を移動する際に、指がタッチしたキーが前記タッチパネルの端部に位置しＸ方向又はＹ方向に指を動かすスペースが小さい場合には、Ｘ方向又はＹ方向と逆方向に移動した量を移動量とすることを特徴とする、請求項１に記載の文字入力装置。
【請求項６】
文字の入力を行うキー入力方法において、
タッチパネル上の複数のキー、前記タッチパネル上で指のＸ方向及びＹ方向の移動量をパラメータとして、ひらがなの各行の文字、さらに、ひらがなの各行の文字の濁音文字、半濁音文字、小文字及び促音文字を含む属性文字をテーブルにして保存する工程と、
前記タッチパネル上に表示された複数のキーの任意の１つのキーへの指のタッチ後に、指の移動するＸ方向及びＹ方向の移動量を検出させる工程と、
前記タッチパネルで指がタッチしたキーの位置、指がキーにタッチした後指が移動したＸ方向の移動量及びＹ方向の移動量が検知された結果に前記テーブルから対応する文字を読み出し、読み出した文字を表示部に表示し、前記タッチパネル部から指を離すことで前記表示部に表示された文字を入力文字と確定させる工程とを備えることを特徴とするキー入力方法。
【請求項７】
文字の入力を行うキー入力プログラムにおいて、
タッチパネル上の複数のキー、前記タッチパネル上で指のＸ方向及びＹ方向の移動量をパラメータとして、ひらがなの各行の文字、さらに、ひらがなの各行の文字の濁音文字、半濁音文字、小文字及び促音文字を含む属性文字をテーブルにして保存する手順と、
前記タッチパネル上に表示された複数のキーの任意の１つのキーへの指のタッチ後に、指の移動するＸ方向及びＹ方向の移動量を検出させる手順と、
前記タッチパネルで指がタッチしたキーの位置、指がキーにタッチした後指が移動したＸ方向の移動量及びＹ方向の移動量が検知された結果に前記テーブルから対応する文字を読み出し、読み出した文字を表示部に表示し、前記タッチパネル部から指を離すことで前記表示部に表示された文字を入力文字と確定させる手順とを備えることを特徴とするキー入力プログラム。
【請求項８】
文字の入力を行う移動通信端末装置において、
複数のキーを表示し、表示されたキーの指のタッチ後に、指の移動するＸ方向及びＹ方向の移動量を検出するタッチパネルと、
前記タッチパネルのキー、前記タッチパネル上で指のＸ方向及びＹ方向の移動量をパラメータとして、ひらがなの各行の文字、さらに、ひらがなの各行の文字の濁音文字、半濁音文字、小文字及び促音文字を含む属性文字をテーブルにして保存する指移動量／入力文字対応情報保存部と、
前記タッチパネルで指がタッチしたキーの位置、指がキーにタッチした後指が移動したＸ方向の移動量及びＹ方向の移動量が検知された結果に基づき前記指移動量／入力文字対応情報保存部から対応する文字を読み出し、読み出した文字を表示部に表示し、前記タッチパネル部から指を離すことで前記表示部に表示された文字を入力文字と確定する文字入力処理部とを備えることを特徴とする移動通信端末装置。
【発明の詳細な説明】
【技術分野】
【０００１】
本発明は移動通信端末装置のキー入力装置に関する。特に、本発明は、タッチパネルを用いてキー入力操作の省力化を行うキー入力装置、方法、プログラム及び移動通信端末装置に関する。
【背景技術】
【０００２】
従来、携帯電話、ＰＨＳ（簡易型携帯電話機）などの移動通信端末装置は、筐体の小型化が常に要求されており、搭載するキーの数も多くできない状況である。大多数が電話番号入力用のテンキーの１つのキーに複数の文字を割り当てて入力を行っており、このような入力方法では、入力する文字によって同じキーを複数回押下して入力することになる。
現在主流の文字入力方法は、キーを１回押下すると、例えば、「あ」、押下するごとに、「い」、「う」、…と表示される（「あ行」の場合）方法で、この入力方法は１文字の入力に対してキーを複数回押すことになり、文字入力のために打鍵数が多くなるという問題点がある。
【０００３】
このような文字入力方法に関連してタッチパネルを用いるものとして以下の特許文献がある。
情報処理装置の多機能化に対処しながら、複数の項目のうちの任意の項目を容易に選択できるようにするため、項目選択装置は、表示装置一体型タッチパネルとともに用いられ、表示装置一体型タッチパネルの出力を所定のタイミングでサンプリングすることにより得られる位置情報に基づいて、表示装置一体型タッチパネル上における位置の指定箇所の軌跡に沿った指定箇所の移動距離Ｄを算出する距離算出装置と、算出された移動距離Ｄの関数として、文字集合（あ、い、う、え、お…）を構成する複数の項目のうちの一つを選択候補として選択する候補選択装置と、表示装置一体型タッチパネルから位置情報の出力が得られなくなった時に候補選択装置により選択されていた項目を特定する情報を出力する出力装置とを含むものがある（例えば、特許文献１参照）。
【０００４】
しかしながら、上記特許文献１では、表示装置一体型タッチパネル上における位置の指定箇所の軌跡に沿った指定箇所の移動距離Ｄを算出し、算出された移動距離Ｄの関数として、文字集合（あ、い、う、え、お…）を構成する複数の項目のうちの一つを選択候補として選択するが、軌跡が行過ぎたり、誤ったりした場合には別の操作が必要になるという問題がある。
【０００５】
タッチパネルからの仮名入力、特に、濁音、半濁音、長音、促音などの入力の容易な仮名入力装置の提供を目的として、タッチパネル１面の入力座標を文字変換処理部に送り、次に指で押したままタッチパネル上を移動させ、放すと、縦、横の移動方向を方向検出処理部が検出し二次変換処理部に送り、文字変換処理部は押されたときの座標から、文字コードを文字コードテーブルから得て、二次変換処理部は、移動方向に応じて、濁音、半濁音、促音、長音などの清音以外の文字に変換する構成を有するものもある（例えば、特許文献２参照）。
【０００６】
しかしながら、上記特許文献２では、押されたときの座標から、文字コードを文字コードテーブルから得て、移動方向に応じて、濁音、半濁音、促音、長音などの清音以外の文字に変換するが、移動方向に応じて文字を選択し、移動が行過ぎたり、誤ったりした場合に元に戻り自由に文字の選択をやり直すことができないという問題がある。
【０００７】
【特許文献１】特開２００７−３１６７３２号公報
【特許文献２】特開平０５−１０８６０７号公報
【発明の開示】
【発明が解決しようとする課題】
【０００８】
したがって、本発明は上記問題点に鑑みて、指の移動方向に応じて文字を選択し、移動が行過ぎたり、誤ったりした場合に元に戻り自由に文字の選択をやり直すことができ且つ文字入力のために打鍵数を低減可能とするキー入力装置、方法、プログラム及び移動通信端末装置を提供することを目的とする。
【課題を解決するための手段】
【０００９】
本発明は前記問題点を解決するために、文字の入力を行うキー入力装置において、複数のキーを表示し、表示されたキーの指のタッチ後に、指の移動するＸ方向及びＹ方向の移動量を検出するタッチパネルと、前記タッチパネルのキー、前記タッチパネル上で指のＸ方向及びＹ方向の移動量をパラメータとして、ひらがなの各行の文字、さらに、ひらがなの各行の文字の濁音文字、半濁音文字、小文字及び促音文字を含む属性文字をテーブルにして保存する指移動量／入力文字対応情報保存部と、前記タッチパネルで指がタッチしたキーの位置、指がキーにタッチした後指が移動したＸ方向の移動量及びＹ方向の移動量が検知された結果に基づき前記指移動量／入力文字対応情報保存部から対応する文字を読み出し、読み出した文字を表示部に表示し、前記タッチパネル部から指を離すことで前記表示部に表示された文字を入力文字と確定する文字入力処理部とを備えることを特徴とするキー入力装置を提供する。
【００１０】
さらに、前記属性文字に複合音の文字を含める。
さらに、前記ひらがなの文字に代わり、カタカナの文字を用いる。
さらに、前記ひらがなの文字に代わり、アルファベットの文字を用いる。
さらに、前記文字入力処理部は、前記タッチパネル上で指のキータッチ後にＸ方向又はＹ方向に指を移動する際に、指がタッチしたキーが前記タッチパネルの端部に位置しＸ方向又はＹ方向に指を動かすスペースが小さい場合には、Ｘ方向又はＹ方向と逆方向に移動した量を移動量とする。
【００１１】
さらに、本発明は、文字の入力を行うキー入力方法において、タッチパネル上の複数のキー、前記タッチパネル上で指のＸ方向及びＹ方向の移動量をパラメータとして、ひらがなの各行の文字、さらに、ひらがなの各行の文字の濁音文字、半濁音文字、小文字及び促音文字を含む属性文字をテーブルにして保存する工程と、前記タッチパネル上に表示された複数のキーの任意の１つのキーへの指のタッチ後に、指の移動するＸ方向及びＹ方向の移動量を検出させる工程と、前記タッチパネルで指がタッチしたキーの位置、指がキーにタッチした後指が移動したＸ方向の移動量及びＹ方向の移動量が検知された結果に前記テーブルから対応する文字を読み出し、読み出した文字を表示部に表示し、前記タッチパネル部から指を離すことで前記表示部に表示された文字を入力文字と確定させる工程とを備えることを特徴とするキー入力方法を提供する。
【００１２】
さらに、本発明は、文字の入力を行うキー入力プログラムにおいて、タッチパネル上の複数のキー、前記タッチパネル上で指のＸ方向及びＹ方向の移動量をパラメータとして、ひらがなの各行の文字、さらに、ひらがなの各行の文字の濁音文字、半濁音文字、小文字及び促音文字を含む属性文字をテーブルにして保存する手順と、前記タッチパネル上に表示された複数のキーの任意の１つのキーへの指のタッチ後に、指の移動するＸ方向及びＹ方向の移動量を検出させる手順と、前記タッチパネルで指がタッチしたキーの位置、指がキーにタッチした後指が移動したＸ方向の移動量及びＹ方向の移動量が検知された結果に前記テーブルから対応する文字を読み出し、読み出した文字を表示部に表示し、前記タッチパネル部から指を離すことで前記表示部に表示された文字を入力文字と確定させる手順とを備えることを特徴とするキー入力プログラムを提供する。
【００１３】
さらに、本発明は、文字の入力を行う移動通信端末装置において、複数のキーを表示し、表示されたキーの指のタッチ後に、指の移動するＸ方向及びＹ方向の移動量を検出するタッチパネルと、前記タッチパネルのキー、前記タッチパネル上で指のＸ方向及びＹ方向の移動量をパラメータとして、ひらがなの各行の文字、さらに、ひらがなの各行の文字の濁音文字、半濁音文字、小文字及び促音文字を含む属性文字をテーブルにして保存する指移動量／入力文字対応情報保存部と、前記タッチパネルで指がタッチしたキーの位置、指がキーにタッチした後指が移動したＸ方向の移動量及びＹ方向の移動量が検知された結果に基づき前記指移動量／入力文字対応情報保存部から対応する文字を読み出し、読み出した文字を表示部に表示し、前記タッチパネル部から指を離すことで前記表示部に表示された文字を入力文字と確定する文字入力処理部とを備えることを特徴とする移動通信端末装置を提供する。
【発明の効果】
【００１４】
以上説明したように、本発明によれば、タッチパネル上の複数のキー、タッチパネル上で指のＸ方向及びＹ方向の移動量をパラメータとして、ひらがなの各行の文字、さらに、ひらがなの各行の文字の濁音文字、半濁音文字、小文字及び促音文字を含む属性文字をテーブルにして保存し、タッチパネル上に表示された複数のキーの任意の１つのキーへの指のタッチ後に、指の移動するＸ方向及びＹ方向の移動量を検出させ、タッチパネルで指がタッチしたキーの位置、指がキーにタッチした後指が移動したＸ方向の移動量及びＹ方向の移動量が検知された結果にテーブルから対応する文字を読み出し、読み出した文字を表示部に表示し、タッチパネル部から指を離すことで表示部に表示された文字を入力文字と確定させるようにしたので、文字入力の際に目的の文字が表示されるまでキーを複数回押下していた操作（複合基調音（キャ行等）、長音、濁点、半濁点の入力も含む））を指のタッチ後の移動で、ひらがなの各行の文字だけでなく、必要に応じて濁音文字、半濁音文字、小文字、長音、促音の入力の省力化が可能になり、目的とする文字を選択できるため、１回の打鍵で従来数回の打鍵を必要としていたものと同じ情報を得ることが可能である。
【００１５】
さらに、指がタッチして指のタッチが離れて入力する文字が確定するまでは自由に指を動かして文字の選択内容を自由に変更できるので、指が行き過ぎたり、誤った方向に行っても元に戻すのが容易であり、文字を確定する前に自由に選択のやり直し、変更を繰り返すことが可能である。
さらに、カタカナの文字、アルファベットの文字の入力操作を省力化することが可能となる。
【００１６】
さらに、Ｘ方向又はＹ方向に指を動かすスペースが小さい場合にも、Ｘ方向又はＹ方向と逆方向に指を移動した量を移動量とすることが可能となる。
【発明を実施するための最良の形態】
【００１７】
以下、本発明の実施の形態について図面を参照して説明する。
図１は本発明に係る移動通信端末装置の外観を示す正面図である。本図に示すように、移動通信端末装置１００の外観は、主に、表示部１０１及びタッチパネル部１０２で構成される。
表示部１０１はＬＣＤ（液晶表示）で構成され、画像、図形、文字、記号などの情報表示出力（映像信号処理）を行う。
【００１８】
タッチパネル部１０２はＬＣＤの操作キー表示部１０２Ａ及び図示しないタッチセンサで構成され、操作キー表示部１０２Ａではファンクションキー、方向キー（図示しない）を含むテンキーが表示され、表示された情報を指タッチでポインティングし、携帯通信端末１００に対する利用者の各種情報入力を行い、特に、指でタッチしたキーの検出、タッチした指の移動方向、移動量を検出する機能を有する。
【００１９】
操作キー表示部１０２Ａでは、「１」キーには「あ行」の「あ」の文字が表示され、「２」キーには「か行」の「か」の文字が表示され、「３」キーには「さ行」の「さ」の文字が表示され、「４」キーには「た行」の「た」の文字が表示され、「５」キーには「な行」の「な」の文字が表示され、「６」キーには「は行」の「は」の文字が表示され、「７」キーには「ま行」の「ま」の文字が表示され、「８」キーには「や行」の「や」の文字が表示され、「９」キーには「ら行」の「ら」の文字が表示され、「０」キーには「わ行」の「わ」の文字が表示される。キーへのひらがなの文字の表示は従来通りである。
【００２０】
図２は図１における移動通信端末装置１００の概略構成を示すブロック図である。本図に示すように、移動通信端末装置１００には前述したように表示部１０１、タッチパネル部１０２、及び操作キー表示部１０２Ａが設けられ、さらに、送話部１０３、受話部１０４、メモリ１０５、無線部１０６及び制御部１０７が設けられる。
送話部１０３はマイクロフォンで構成され、送話機能を有する。
【００２１】
受話部１０４はスピーカで構成され、受話機能を有する。
メモリ１０５はＲＯＭ、ＲＡＭ、メモリキャッシュ等で構成され、電話帳情報、送受信メール情報、発着呼情報、コンテンツ情報、アプリケーションプログラム情報及び携帯通信端末１００の諸設定等の情報を保存し、特に、指移動量／入力文字対応情報保存部１０５Ａを有する。指移動量／入力文字対応情報保存部１０５Ａは後述するタッチパネル部１０２への指のタッチ後の指移動量と入力文字の対応情報を保存する。
【００２２】
無線部１０６は図示しない無線基地局装置との間で無線信号の送受信を行う。
制御部１０７はＣＰＵ（中央処理装置）で構成され、特に文字入力処理部１０７Ａを有し、移動通信端末装置１００の全体の制御、具体的には、電話機能、メール機能、インターネット（Ｗｅｂ)接続機能、コンテンツ再生機能、その他の端末の有する機能、各部の制御動作をプログラム制御で実行する。
【００２３】
文字入力処理部１０７Ａは、タッチパネル部１０２の操作キー表示部１０２Ａのタッチセンサでキーをタッチした指の位置、指が移動したＸ方向の移動量ｍＸ、及びＹ方向の移動量ｍＹが検知された結果に基づき、メモリ１０５の指移動量／入力文字対応情報保存部１０５Ａを参照して、キーに指でタッチした後、指の移動する方向と移動量に応じて、ひらがなの文字の各行の文字、各行の属性文字を判別し、判別した文字を表示部１０１に表示し表示した文字に対してタッチパネル部１０２から指を離すことで表示された文字を入力文字と確定する。
【００２４】
図３は図１におけるタッチパネル部１０２の指の移動方向、移動量を示す図である。本図に示すように、タッチパネル部１０２の横方向、縦方向をＸ方向、Ｙ方向として、タッチパネル部１０２内で、Ｘ方向に指が移動する量をＸ方向の移動量ｍＸ（ｍＸ＝０、ｍＸ１、ｍＸ２、ｍＸ３、ｍＸ４；０＜ｍＸ１＜ｍＸ２＜ｍＸ３＜ｍＸ４）とし、Ｙ方向に指が移動する量をＹ方向の移動量ｍＹ（ｍＹ＝０、ｍＹ１、ｍＹ２、ｍＹ３、ｍＹ４；０＜ｍＹ１＜ｍＹ２＜ｍＹ３＜ｍＹ４）とする。以下に詳細な説明を行う。
【００２５】
図４は図１におけるメモリ１０５の指移動量／入力文字対応情報保存部１０５Ａに保存される内容例を説明する図である。本図に示すように、メモリ１０５の指移動量／入力文字対応情報保存部１０５Ａには、タッチパネル部１０２の操作キー表示部１０２Ａにおけるキー、指移動量ｍＸ、ｍＹをパラメータとしてひらがなの文字を以下のように保存する。
【００２６】
「１」キーに対して、指移動量（ｍＸ＝０、…、ｍＸ２、ｍＹ＝０、…、ｍＹ４）をパラメータとして、３つのテーブルとして、「あ行」の文字「あいうえお」、属性文字の濁音の文字「    う”    」、小文字の「ぁぃぅぇぉ」を保存する。
さらに、「２」キーに対して、指移動量（ｍＸ＝０、…、ｍＸ２、ｍＹ＝０、…、ｍＹ４）をパラメータとして、３つのテーブルとしての「か行」の文字「かきくけこ」、属性文字の濁音の文字「がぎぐげご」、小文字「ヵ    ヶ  」を保存する。
【００２７】
さらに、「３」キーに対して、指移動量（ｍＸ＝０、ｍＸ１、ｍＹ＝０、…、ｍＹ４）をパラメータとして、２つのテーブルとして「さ行」の文字「さしすせそ」、属性文字の濁音の文字「ざじずぜぞ」を保存する。
さらに、「４」キーに対して、指移動量（ｍＸ＝０、…、ｍＸ２、ｍＹ＝０、…、ｍＹ４）をパラメータとして、３つのテーブルとして「た行」の文字「たちつてと」、属性文字の濁音の文字「だぢづでど」、促音の文字「    っ    」を保存する。
【００２８】
さらに、「５」キーに対して、指移動量（ｍＸ＝０、ｍＹ＝０、…、ｍＹ４）をパラメータとして、１つのテーブルとして「な行」の文字「なにぬねの」を保存する。
さらに、「６」キーに対して、指移動量（ｍＸ＝０、…、ｍＸ２、ｍＹ＝０、…、ｍＹ４）をパラメータとして、３つのテーブルとして「は行」の文字「はひふへほ」、属性文字の濁音の文字「ばびぶべぼ」、半濁音の文字「ぱぴぷぺぽ」を保存する。
【００２９】
さらに、「７」キーに対して、指移動量（ｍＸ＝０、ｍＹ＝０、…、ｍＹ４）をパラメータとして、１つのテーブルとして「ま行」の文字「まみむめも」を保存する。
さらに、「８」キーに対して、指移動量（ｍＸ＝０、ｍＸ１、ｍＹ＝０、…、ｍＹ４）をパラメータとして、２つのテーブルとして「や行」の文字「やゆよ    」、属性文字の小文字「ゃゅょ」を保存する。
【００３０】
さらに、「９」キーに対して、指移動量（ｍＸ＝０、ｍＹ＝０、…、ｍＹ４）をパラメータとして、１つのテーブルとして「ら行」の文字「らりるれろ」を保存する。
さらに、「０」キーに対して、指移動量（ｍＸ＝０、ｍＸ１、ｍＹ＝０、…、ｍＹ４）をパラメータとして、２つのテーブルとして「わ行」の文字、長音「わをんー  」、属性文字の小文字「ゎ        」を保存する。
【００３１】
このようにして、指移動量／入力文字対応情報保存部１０５Ａでは、各キー、指のＸ方向及びＹ方向の移動量をパラメータとして、各キーに割り当てられたひらがなの各行の文字、各行の文字、濁音文字、半濁音文字、小文字、促音文字を含む属性文字をテーブルにし、保存する。
なお、Ｘ方向とＹ方向を逆にして保存しても同様である。
【００３２】
図５は図２における制御部１０７の文字入力処理部１０７Ａの概略動作例を説明するフローチャートである。本図に示すように、制御部１０７の文字入力処理部１０７Ａでは、タッチパネル部１０２の操作キー表示部１０２Ａの「１」キーへの指タッチがあるかを確認する。確認できない場合にはステップＳ２０８に進む。
ステップＳ２０２において、文字入力処理部１０７Ａでは「１」キーへの指タッチがあることを確認した場合には、指移動量（ｍＸ、ｍＹ）をｍＸ＝０、ｍＹ＝０に設定する。
【００３３】
ステップＳ２０３において、文字入力処理部１０７Ａでは、タッチパネル部１０２からの移動情報に基づき、指の移動があるかを確認する。
ステップＳ２０４において、文字入力処理部１０７Ａでは、指の移動を確認した場合にはタッチパネル部１０２からの指移動量（ｍＸ、ｍＹ）を入力する。
【００３４】
ステップＳ２０５において、文字入力処理部１０７Ａでは、メモリ１０５の指移動量／入力文字対応情報保存部１０５Ａを参照して、入力した指移動量（ｍＸ、ｍＹ）に対応する文字を読み出し、読み出した文字を表示部１０１に表示する。
ステップＳ２０６において、文字入力処理部１０７Ａでは、タッチパネル部１０２から指が離れたかを確認する。確認できない場合にはステップＳ２０３に戻り、上記処理を繰り返す。
【００３５】
ステップＳ２０７において、文字入力処理部１０７Ａでは、タッチパネル部１０２から指が離れた場合には表示部１０１に表示されている文字を入力文字として確定し、処理を終了する。
ステップＳ２０８において、文字入力処理部１０７Ａでは、タッチパネル部１０２の操作キー表示部１０２Ａの「２」キーへの指タッチがあるかを確認する。確認できない場合にはステップＳ２０９に進み、確認できた場合にはステップＳ２０２に進み、前述した処理を繰り返す。
【００３６】
ステップＳ２０９において、文字入力処理部１０７Ａでは、タッチパネル部１０２の操作キー表示部１０２Ａの「３」キーへの指タッチがあるかを確認する。確認できない場合にはステップＳ２１０に進み、確認できた場合にはステップＳ２０２に進み、前述した処理を繰り返す。
ステップＳ２１０において、文字入力処理部１０７Ａでは、タッチパネル部１０２の操作キー表示部１０２Ａの「４」キーへの指タッチがあるかを確認する。確認できない場合にはステップＳ２１１に進み、確認できた場合にはステップＳ２０２に進み、前述した処理を繰り返す。
【００３７】
ステップＳ２１１において、文字入力処理部１０７Ａでは、タッチパネル部１０２の操作キー表示部１０２Ａの「５」キーへの指タッチがあるかを確認する。確認できない場合にはステップＳ２１２に進み、確認できた場合にはステップＳ２０２に進み、前述した処理を繰り返す。
ステップＳ２１２において、文字入力処理部１０７Ａでは、タッチパネル部１０２の操作キー表示部１０２Ａの「６」キーへの指タッチがあるかを確認する。確認できない場合にはステップＳ２１３に進み、確認できた場合にはステップＳ２０２に進み、前述した処理を繰り返す。
【００３８】
ステップＳ２１３において、文字入力処理部１０７Ａでは、タッチパネル部１０２の操作キー表示部１０２Ａの「７」キーへの指タッチがあるかを確認する。確認できない場合にはステップＳ２１４に進み、確認できた場合にはステップＳ２０２に進み、前述した処理を繰り返す。
ステップＳ２１４において、文字入力処理部１０７Ａでは、タッチパネル部１０２の操作キー表示部１０２Ａの「８」キーへの指タッチがあるかを確認する。確認できない場合にはステップＳ２１５に進み、確認できた場合にはステップＳ２０２に進み、前述した処理を繰り返す。
【００３９】
ステップＳ２１５において、文字入力処理部１０７Ａでは、タッチパネル部１０２の操作キー表示部１０２Ａの「９」キーへの指タッチがあるかを確認する。確認できない場合にはステップＳ２１６に進み、確認できた場合にはステップＳ２０２に進み、前述した処理を繰り返す。
ステップＳ２１６において、文字入力処理部１０７Ａでは、タッチパネル部１０２の操作キー表示部１０２Ａの「０」キーへの指タッチがあるかを確認する。確認できない場合には処理を終了し、確認できた場合にはステップＳ２０２に進み、前述した処理を繰り返す。
【００４０】
例えば、「び」を入力する場合、「は」の「６」キーに指をタッチし、指をＸ方向にｍＸ１、Ｙ方向にｍＹ２に移動し、指をタッチパネル部１０２から離すことで「び」の入力が確定される。
なお、Ｘ方向、Ｙ方向の移動は指をタッチパネル部１０２から離すまで可変であり、Ｘ方向、Ｙ方向の同時の指の移動を可能とすることで、文字種選択をより効率化することが可能となる。
【００４１】
図６は本発明と従来の文字入力例の比較を説明する図である。本図に示すように、一例として、文字「きゃでぃ」を入力する場合について検討を行う。
本図（ａ）に示すように、従来では、「か行」の「２」キーを２回押下すると、文字「か」、「き」が表示され、「き」が確定文字とされる。
さらに、「や行」の「８」キーを押下し、文字「や」と表示し、さらに、小文字変換による押下により、文字「ゃ」が表示され、「ゃ」が確定文字とされる。
【００４２】
さらに、「た行」の「４」キーを４押下し、「た」、「ち」「つ」「て」と表示し、「♯」キーを押下して濁点（”）を付加して、「で」が表示され、「で」が確定文字とされる。
さらに、「あ行」の「１」キーを２回押下し、「あ」、「い」と表示し、小文字変換による押下により、文字「ぃ」が表示され、「ぃ」が確定文字とされる。
本図（ｂ）に示すように、これに対して、本発明では、「か行」の「２」キーをタッチして「か」を表示し、指をＹ方向にｍＹ１だけ移動すると、文字「き」が表示され、指タッチを離すと文字「き」が確定文字となる。
【００４３】
さらに、「や行」の「８」キーをタッチして「や」を表示し、指をＸ方向にｍＸ１だけ移動すると、文字「ゃ」が表示され、指タッチを離すと文字「ゃ」が確定文字となる。
さらに、「た行」の「４」キーをタッチして「た」を表示し、指をＸ方向にｍＸ１、Ｙ方向にｍＹ３だけ移動すると、文字「で」が表示され、指タッチを離すと文字「で」が確定文字となる。この場合、逆に、指をＹ方向にｍＹ３、Ｘ方向にｍＸ１だけ移動するようにしてもよい。
【００４４】
さらに、「あ行」の「１」キーをタッチして「あ」を表示し、指をＸ方向にｍＸ２、Ｙ方向にｍＹ１だけ移動すると、文字「ぃ」が表示され、指タッチを離すと文字「で」が確定文字となる。
したがって、本発明によれば、文字入力の際に目的の文字が表示されるまでキーを複数回押下していた操作を指のタッチ後の移動で、ひらがなの各行の文字だけでなく、必要に応じて属性文字である濁音文字、半濁音文字、小文字、長音、促音の入力の省力化が可能になり、目的とする文字を選択できるため、１回の打鍵で従来数回の打鍵を必要としていたものと同じ情報を得ることが可能である。
【００４５】
さらに、指がタッチして指のタッチが離れて入力する文字が確定するまでは自由に指を動かして文字の選択内容を自由に変更できるので、指が行き過ぎたり、誤った方向に行っても元に戻すのが容易であり、文字を確定する前に自由に選択のやり直し、変更を繰り返すことが可能である。
【実施例１】
【００４６】
図７は図４の部分変形例であり、メモリ１０５の指移動量／入力文字対応情報保存部１０５Ａに保存される内容例を説明する図である。本図に示すように、メモリ１０５の指移動量／入力文字対応情報保存部１０５Ａには、タッチパネル部１０２の操作キー表示部１０２Ａにおける「１」キーの「あ行」に対して、指移動量（ｍＸ＝０、…、ｍＸ２、ｍＹ＝０、…、ｍＹ４、ｍＹ５）をパラメータとして、４つのテーブルとして「あ行」の「あいうえお」、属性文字「    う”    」、「ぁぃぅぇぉ(小文字）」の他に「うう”うーうっうぃーうぉ」の文字を保存する。
【００４７】
このようにして、ひらがなの各行の文字、属性文字の濁音文字、半濁音文字、小文字、長音、促音のだけでなく、必要に応じて擬声音文字を保存することも可能である。さらに、擬声音文字に加えて「しゃしゅしょ」、「きゃきゅきょ」などの複合音文字を保存することが可能になる。
【実施例２】
【００４８】
以上の説明では、ひらがなの文字の入力操作を省力化したが、カタカナの文字について同様に入力操作の省力化を行うことができる。
【実施例３】
【００４９】
まず、図３に示すように、ひらがなの文字以外にタッチパネル部１０２の操作キー表示部１０２Ａからアルファベットの文字の入力が可能である。操作キー表示部１０２Ａの「２」キーには「ＡＢＣ」の文字が表示され、「３」キーには「ＤＥＦ」の文字が表示され、「４」キーには「ＧＨＩ」の文字が表示され、「５」キーには「ＪＫＬ」の文字が表示され、「６」キーには「ＭＮＯ」の文字が表示され、「７」キーには「ＰＱＲＳ」の文字が表示され、「８」キーには「ＴＵＶ」の文字が表示され、「９」キーには「ＷＸＹＺ」の文字が表示される。キーへのアルファベットの文字の表示は従来通りである。
【００５０】
図８は図４の変形例であり、メモリ１０５の指移動量／入力文字対応情報保存部１０５Ａに保存される内容例を説明する図である。
本図に示すように、メモリ１０５の指移動量／入力文字対応情報保存部１０５Ａには、タッチパネル部１０２の操作キー表示部１０２Ａにおける「２」キーに対して、指移動量（ｍＸ＝０、ｍＸ１、ｍＹ＝０、ｍＹ１、ｍＹ２）をパラメータとして、２つのテーブルとして「ＡＢＣ」、「ａｂｃ」の文字を保存する。
【００５１】
さらに、「３」キーに対して、指移動量（ｍＸ＝０、ｍＸ１、ｍＹ＝０、ｍＹ１、ｍＹ２）をパラメータとして、２つのテーブルとして「ＤＥＦ」、「ｄｅｆ」の文字を保存する。
さらに、「４」キーに対して、指移動量（ｍＸ＝０、ｍＸ１、ｍＹ＝０、ｍＹ１、ｍＹ２）をパラメータとして、２つのテーブルとして「ＧＨＩ」、「ｇｈｉ」の文字を保存する。
さらに、「５」キーに対して、指移動量（ｍＸ＝０、ｍＸ１、ｍＹ＝０、ｍＹ１、ｍＹ２）をパラメータとして、２つのテーブルとして「ＪＫＬ」、「ｊｋｌ」の文字を保存する。
【００５２】
さらに、「６」キーに対して、指移動量（ｍＸ＝０、ｍＸ１、ｍＹ＝０、ｍＹ１、ｍＹ２）をパラメータとして、２つのテーブルとして「ＭＮＯ」、「ｍｎｏ」の文字を保存する。
さらに、「７」キーに対して、指移動量（ｍＸ＝０、ｍＸ１、ｍＹ＝０、ｍＹ１、ｍＹ２、ｍＹ３）をパラメータとして、２つのテーブルとして「ＰＱＲＳ」、「ｐｑｒｓ」の文字を保存する。
【００５３】
さらに、「８」キーに対して、指移動量（ｍＸ＝０、ｍＸ１、ｍＹ＝０、ｍＹ１、ｍＹ２）をパラメータとして、２つのテーブルとして「ＴＵＶ」、「ｔｕｖ」の文字を保存する。
さらに、「９」キーに対して、指移動量（ｍＸ＝０、ｍＸ１、ｍＹ＝０、ｍＹ１、ｍＹ２、ｍＹ３）をパラメータとして、２つのテーブルとして「ＷＸＹＺ」、「ｗｘｙｚ」の文字を保存する。
【００５４】
なお、制御部１０７の文字入力処理部１０７Ａの処理は図５の処理と略同様であるので省略する。
【実施例４】
【００５５】
図３では、Ｘ方向、Ｙ方向について、Ｘ方向は左側から右側の方向に取り、Ｙ方向は上側から下側の方向にとっている。この場合、「３」キー、「６」キー、「９」キー、「♯」キーはＸ方向に移動するスペースが小さいので、これらのキーについては、逆方向、すなわち、右側から左側にＸ方向を取るようにしてもよい。
さらに、「＊」キー、「０」キー、「♯」キーはＹ方向に移動するスペースが小さいので、これらのキーにつては、逆方向、すなわち、下側から上側にＹ方向を取るようにしてよい。
【産業上の利用可能性】
【００５６】
以上の説明は、移動通信端末装置について行ったが、これに限らず、携帯電話機、ＰＨＳ（簡易型携帯電話機）、ＰＤＡ（携帯情報端末）にも本発明の利用が可能である。
【図面の簡単な説明】
【００５７】
【図１】本発明に係る移動通信端末装置の外観を示す正面図である。
【図２】図１における移動通信端末装置１００の概略構成を示すブロック図である。
【図３】図１におけるタッチパネル部１０２の指の移動方向、移動量を示す図である。
【図４】図１におけるメモリ１０５の指移動量／入力文字対応情報保存部１０５Ａに保存される内容例を説明する図である。
【図５】図２における制御部１０７の文字入力処理部１０７Ａの概略動作例を説明するフローチャートである。
【図６】本発明と従来の文字入力例の比較を説明する図である。
【図７】図４の部分変形例であり、メモリ１０５の指移動量／入力文字対応情報保存部１０５Ａに保存される内容例を説明する図である。
【図８】図４の変形例であり、メモリ１０５の指移動量／入力文字対応情報保存部１０５Ａに保存される内容例を説明する図である。
【符号の説明】
【００５８】
１００…移動通信端末装置
１０１…表示部
１０２…タッチパネル部
１０２Ａ…操作キー表示部
１０３…送話部
１０４…受話部
１０５…メモリ
１０５Ａ…指移動量／入力文字対応情報保存部
１０６…無線部
１０７…制御部
１０７Ａ…文字入力処理部
【図１】
2009199323.tif 000003
【図２】
2009199323.tif 000004
【図３】
2009199323.tif 000005
【図４】
2009199323.tif 000006
【図５】
2009199323.tif 000007
【図６】
2009199323.tif 000008
【図７】
2009199323.tif 000009
【図８】
2009199323.tif 000010